(57)【要約】  【課題】  選別精度を向上させ、回収物の効果的な再利用ができる風力選別装置を提供する。  【解決手段】  金属選別装置２４により廃棄物から選別された金属を収容部３１に落下搬送する搬送路３２に傾斜姿勢の第一搬送路３３と前記第一搬送路３３に連結され略垂直に落下する第二搬送路３４を設け、前記第一搬送路３３の底面側であって前記第二搬送路３４の上端部に吸引孔３５を形成するとともに、前記吸引孔３５から搬送路中の夾雑物を吸引回収する夾雑物回収路３６を前記第一搬送路３３に沿って設けてある。  【選択図】  図１
2005058858.tif 000002
【特許請求の範囲】
【請求項１】
金属選別装置により廃棄物から選別された金属を収容部に落下搬送する搬送路に傾斜姿勢の第一搬送路と前記第一搬送路に連結され略垂直に落下する第二搬送路を設け、前記第一搬送路の底面側であって前記第二搬送路の上端部に吸引孔を形成するとともに、前記吸引孔から搬送路中の夾雑物を吸引回収する夾雑物回収路を前記第一搬送路に沿って設けてある風力選別装置。
【請求項２】
前記第一搬送路の傾斜角度が４５度から６０度の範囲に設定されている請求項１記載の風力選別装置。
【請求項３】
前記夾雑物回収路による吸引風速が２２ｍ／ｓｅｃから２８ｍ／ｓｅｃの範囲に設定されている請求項１または２記載の風力選別装置。
【請求項４】
前記第一搬送路の下端側に内部で飛散する落下物を受け止めて底面に案内する可撓性の案内板を設けてある請求項１から３の何れかに記載の風力選別装置。
【請求項５】
前記吸引孔の対向部に外気を流入する開孔を形成してある請求項１から４の何れかに記載の風力選別装置。
【請求項６】
第一搬送路の上面側であって、前記案内板の上流側近傍または下流側近傍に外気を流入する開孔を形成してある請求項４記載の風力選別装置。
【請求項７】
前記第一搬送路と前記夾雑物回収路の隣接壁部が共用されている請求項１から６の何れかに記載の風力選別装置。
【請求項８】
前記夾雑物回収路に吸引された金属を落下させる垂直搬送路を設けてある請求項１から７の何れかに記載の風力選別装置。
【請求項９】
前記金属選別装置が磁力選別装置である請求項１から８の何れかに記載された風力選別装置。
【発明の詳細な説明】
【技術分野】
【０００１】
本発明は、金属選別装置により廃棄物から選別された金属を収容部に落下搬送する搬送路に設けられる風力選別装置に関する。
【背景技術】
【０００２】
従来、図５に示すように、水平若しくは所要角度に傾斜させて設置した管状のケーシング１と、ケーシングの一端部に設けられ、ケーシング内にその長手方向に向けて高速の空気を押し込む空気押込口４と、空気押込口の下流側のケーシングの上面に設けられ、被処理物が上記空気流によりケーシング内に吸引される投入口６と、投入口より下流側のケーシングの上面に設けられ、所要の速度で空気を吸引する空気吸引口７と、ケーシングの他端部に設けられ、被処理物を排出する排出口１０とを備えた風力選別装置が提案されている。
【特許文献１】特開平１０−３１４６７４号公報
【発明の開示】
【発明が解決しようとする課題】
【０００３】
しかし、上述した特許文献１に記載された技術によれば、装置に投入された被処理物が落下する方向に選別用の空気を供給するものであったので、重量物に紛れ込む夾雑物が効率良く選別できず、選別精度が低下するという問題があった。
【０００４】
本発明は、上述の従来欠点に鑑み、選別精度を向上させ、回収物の効果的な再利用ができる風力選別装置を提供する点にある。
【課題を解決するための手段】
【０００５】
上述の目的を達成するため、本発明による風力選別装置の第一の特徴構成は、特許請求の範囲の請求項１に記載した通り、金属選別装置により廃棄物から選別された金属を収容部に落下搬送する搬送路に傾斜姿勢の第一搬送路と前記第一搬送路に連結され略垂直に落下する第二搬送路を設け、前記第一搬送路の底面側であって前記第二搬送路の上端部に吸引孔を形成するとともに、前記吸引孔から搬送路中の夾雑物を吸引回収する夾雑物回収路を前記第一搬送路に沿って設けてある点にある。
【０００６】
金属選別装置で選別回収された選別金属には未だ夾雑物が付着または混入しており、回収精度がそれ程良くはないが、その状態で選別金属が傾斜姿勢の第一搬送路で搬送される際には、その夾雑物が解れて選別金属と分離され、第二搬送路に落下する直前または直後に分離された夾雑物が搬送される選別金属の直近の吸引孔から効率的に夾雑物回収路に吸引される結果、第二搬送路を落下搬送される選別金属の選別精度が向上するのである。このとき、夾雑物回収路を第一搬送路に沿って設けることで、夾雑物が斜め上方に吸引搬送されるので、選別金属がそのような夾雑物回収路に沿って誤搬送されるような事態を回避できるのであり、第一搬送路の傾斜姿勢に沿って夾雑物回収路を傾斜配置できるので、空間利用率が向上し、装置の小型化が図れるのである。
【０００７】
同第二の特徴構成は、請求項２に記載した通り、上述の第一特徴構成に加えて、前記第一搬送路の傾斜角度が４５度から６０度の範囲に設定されている点にある。
【０００８】
選別金属が第一搬送路に沿って滑落する際に傾斜角度が４５度から６０度の範囲に設定されていると選別金属と夾雑物との分離が効率的に行なうことが可能となり、当該範囲よりも急な傾斜姿勢では分離が効果的に行なえず、また緩い傾斜姿勢では搬送路の詰まりが生じるのである。
【０００９】
同第三の特徴構成は、請求項３に記載した通り、上述の第一または第二特徴構成に加えて、前記夾雑物回収路による吸引風速が２２ｍ／ｓｅｃから２８ｍ／ｓｅｃの範囲に設定されている点にある。
【００１０】
さらに、吸引風速が２２ｍ／ｓｅｃから２８ｍ／ｓｅｃの範囲に設定されていると夾雑物が効率的に吸引されるものであり、それ以下であれば夾雑物が第二搬送路に紛れ込む頻度が高くなり、それ以上であれば夾雑物とともに選別金属が吸引される虞が生じるのである。
【００１１】
同第四の特徴構成は、請求項４に記載した通り、上述の第一から第三の何れかの特徴構成に加えて、前記第一搬送路の下端側に内部で飛散する落下物を受け止めて底面に案内する可撓性の案内板を設けてある点にある。
【００１２】
傾斜姿勢の第一搬送路内で弾みながら滑落する選別金属の運動エネルギーが案内板により吸収され、また、浮遊する夾雑物が案内板により受け止められて第一搬送路の底部に落下案内され、吸引孔から吸引される直前の滑落速度が調整されるとともに選別金属が整列されるので、夾雑物回収路による吸引選別効果が極めて高くなるのである。案内板としては例えばゴム板などの衝撃吸収作用のある素材を使用するのが好適である。
【００１３】
同第五の特徴構成は、請求項５に記載した通り、上述の第一から第四の何れかの特徴構成に加えて、前記吸引孔の対向部に外気を流入する開孔を形成してある点にある。
【００１４】
対向部の開孔から夾雑物回収路に吸引される空気の流れがエアカーテンとして作用する結果、浮遊する夾雑物の第二搬送路への落下が阻止されて効果的に夾雑物回収路に吸引されるのであり、また、第二搬送路の下流側からの空気の流れによる夾雑物の第一搬送路への戻りも阻止されるので、効率的に交雑物を回収することが可能となる。さらに、当該位置に開孔を設けることにより、第一搬送路に詰まりや汚れが生じた場合であっても当該開孔を点検口として兼用できる利点もある。
【００１５】
同第六の特徴構成は、請求項６に記載した通り、上述の第四の特徴構成に加えて、第一搬送路の上面側であって、前記案内板の上流側近傍または下流側近傍に外気を流入する開孔を形成してある点にある。
【００１６】
上述と同様であり、さらに案内板に沿った空気の流れが生じる結果、案内板による案内効果を向上させることも可能となる。
【００１７】
同第七の特徴構成は、請求項７に記載した通り、上述の第一から第六の何れかの特徴構成に加えて、前記第一搬送路と前記夾雑物回収路の隣接壁部が共用されている点にある。
【００１８】
夾雑物回収路を第一搬送路に沿って配置できるので隣接壁部が共用でき、これにより部品点数を減少させるとともに、コストの低減効果が生じるのである。
【００１９】
同第八の特徴構成は、請求項８に記載した通り、上述の第一から第七の何れかの特徴構成に加えて、前記夾雑物回収路に吸引された金属を落下させる垂直搬送路を設けてある点にある。
【００２０】
吸引力の変動などにより仮に夾雑物回収路に選別金属が吸引された場合であっても、傾斜姿勢の夾雑物回収路内を上方に吸引される途中で垂直搬送路に落下させて分離回収することが可能になる。
【００２１】
同第九の特徴構成は、請求項９に記載した通り、上述の第一から第八の何れかの特徴構成に加えて、前記金属選別装置が磁力選別装置である点にある。
【００２２】
磁力選別装置で選別された鉄分に対して上述した風力選別装置を適用するのが好適である。
【発明の効果】
【００２３】
以上説明した通り、本発明によれば、選別精度を向上させ、回収物の効果的な再利用ができる風力選別装置を提供することができるようになった。
【発明を実施するための最良の形態】
【００２４】
以下に本発明による風力選別装置の実施の形態を説明する。図２に示すように、リサイクルプラントでは、回収され切断機２０ａにより所定サイズに切断された家電製品やオフィス家具などの粗大ごみや不燃ごみは、受入れホッパ２０に集積された後に搬入コンベア機構２１により破砕機２２に投入され、数ミリから数十ミリの粒径に破砕された後に搬出コンベア機構２３により磁力選別装置２４に搬送され、鉄分が選別回収された残りの廃棄物が篩式の選別装置（トロンメル）２５で不燃物と可燃物に選別される。
【００２５】
図１に示すように、風力選別装置３０は、金属選別装置としての磁力選別装置２４により廃棄物から選別された鉄分を下方に設置した収容部であるホッパ３１に落下搬送する搬送路３２に設けてあり、傾斜姿勢の第一搬送路３３と前記第一搬送路３３に連結され略垂直に落下する第二搬送路３４で構成された前記搬送路３２において、前記第一搬送路３３の底面側であって前記第二搬送路３４の上端部に吸引孔３５を形成するとともに、前記吸引孔３５から搬送路中の鉄分に紛れ込んだ樹脂片や木片などの夾雑物を吸引回収するノズルとして作用する夾雑物回収路３６を前記第一搬送路３３に沿って設けて構成してある。前記夾雑物回収路３６の横断面は、先端側程開口面積が狭くなるように構成され、下流側が吸引搬送路３９に接続されている。
【００２６】
図２に示すように、前記吸引搬送路３９はサイクロン４１、バグフィルタ４２を介して排風機４３に接続され、吸引空気は、前記サイクロン４１やバグフィルタ４２により夾雑物が回収された後に大気開放される。
【００２７】
上述の構成により、夾雑物回収路３６を第一搬送路３３に沿って設けることで、夾雑物が斜め上方に吸引搬送されるので、選別金属がそのような夾雑物回収路３６に沿って誤搬送されるような事態を回避できる。さらに、前記第一搬送路３３と前記夾雑物回収路３６の隣接壁部を共用することで、一層コンパクトに構成してある。
【００２８】
前記第一搬送路３３の下端側に内部で飛散する落下物Ｆを受け止めて底面に案内する可撓性の案内板としてのれん状に形成したゴム板３７を前記第一搬送路３３の上壁に固定設置して吊下げて、以って、傾斜姿勢の第一搬送路３３内で弾みながら滑落する選別金属の運動エネルギーをゴム板３７により吸収するとともに浮遊する夾雑物をゴム板３７により受け止めて、前記第一搬送路３３の底部に落下案内する。
【００２９】
前記吸引孔３５の対向部に外気を流入する開孔３８を形成してあり、対向部の開孔３８から夾雑物回収路３６に吸引される空気の流れがエアカーテンとして作用する結果、浮遊する夾雑物の第二搬送路３４への落下を阻止しながら効果的に夾雑物回収路３６に吸引するように構成してある。前記開孔３８には網状の金属カバー３８ａが着脱自在に取り付けられ、外気の流入を許容するとともに異物の混入を防止してあり、前記金属カバーを取り外すことによりメンテナンス可能に構成してある。
【００３０】
前記夾雑物回収路３６と前記吸引搬送路３９の接続部には、さらに吸引された金属を落下させる垂直搬送路４０を設けてあり、吸引力の変動などにより仮に夾雑物回収路に選別金属が吸引された場合であっても、傾斜姿勢の夾雑物回収路内を上方に吸引される途中で垂直搬送路に落下させて分離回収可能に構成してある。回収された鉄類は夾雑物が混入または付着している可能性が高く、再利用の可能性の低い不燃物として前記ホッパ３１に落下回収された鉄類とは分離回収される。
【００３１】
前記第一搬送路３３の傾斜角度が４５度から６０度の範囲、好ましくは約５０度に設定されるとともに、前記夾雑物回収路３６による吸引風速が２２ｍ／ｓｅｃから２８ｍ／ｓｅｃの範囲、好ましくは約２５ｍ／ｓｅｃになるように設定される。
【００３２】
以下に別実施の形態を説明する。上述の実施形態では、吸引孔３５の対向部に外気を流入する開孔３８を形成したものを説明したが、図３に示すように、第一搬送路の上面側であって、前記案内板の上流側近傍または下流側近傍若しくは双方に外気を流入する開孔３８０，３９０を形成するものであってもよい。
【００３３】
上述した実施形態では、金属選別装置からホッパ３１に落下搬送する搬送路３２として傾斜姿勢の第一搬送路３３と前記第一搬送路３３に連結され略垂直に落下する第二搬送路３４で構成されたものを説明したが、搬送路３２の構成は上述した第一搬送路３３と第二搬送路３４を含むものであればよく、これらの前後に他の搬送路を設けてあってもよい。例えば図４に示すように、金属選別装置２４からホッパ３１に落下搬送する搬送路３２を略垂直姿勢の第三搬送路３２ａとそれに連結される傾斜姿勢の第四搬送路３２ｂの下流側に上述の第一搬送路３３と第二搬送路３４を接続するものなど、装置の構成、配置などにより適宜構成すればよい。
【００３４】
上述した実施形態では、篩式の選別装置（トロンメル）２５で不燃物と可燃物に選別されるものを説明したが、不燃物が除去された後にさらにアルミ選別装置を設けて、アルミと可燃物を分離回収するように構成してもよい。
【００３５】
上述した実施形態では、金属選別装置として鉄分を回収する磁力選別装置を用いたものを説明したが、回収金属の種類や金属選別装置の種類や選別原理については特に限定されるものではない。
【図面の簡単な説明】
【００３６】
【図１】リサイクルプラントの説明図
【図２】風力選別装置の説明図
【図３】別実施形態を示す風力選別装置の要部の説明図
【図４】別実施形態を示す風力選別装置の要部の説明図
【図５】従来技術の説明図
【符号の説明】
【００３７】
３０：風力選別装置
３１：ホッパ
３２：搬送路
３３：第一搬送路
３４：第二搬送路
３５：吸引孔
３６：夾雑物回収路
３７：案内板（ゴム板）
３８：開孔
３９：吸引搬送路
４０：垂直搬送路
【図１】
2005058858.tif 000003
【図２】
2005058858.tif 000004
【図３】
2005058858.tif 000005
【図４】
2005058858.tif 000006
【図５】
2005058858.tif 000007